(57)【要約】      （修正有）【課題】転倒しても容易に修復でき、しかも、簡素な構造でありながら高い剛性を発揮することができる植物栽培器を提供する。また、限られた土地面積のなかで多くの収穫を得ることができる植物栽培システムを提供する。【解決手段】植物栽培器１は、内部を培地材収容部とし、管軸方向を水平方向に向けて設置される管本体４を備え、管本体４の周壁の上面部に、定植用の開口部が複数、管軸方向に間隔をおくようにして設けられたものからなっている。管本体４の端部は、蓋の着脱で開閉できるようになっているとよい。植物栽培システムは、上記の管本体４が、複数本、上下方向に間隔をおいて平行状態となるように設置されたものである。【選択図】図３
2012029573.tif 000002
【特許請求の範囲】
【請求項１】
内部を培地材収容部とし、管軸方向を水平方向に向けて設置される管本体を備え、該管本体の周壁の上面部に、定植用の開口部が複数、管軸方向に間隔をおくようにして設けられていることを特徴とする植物栽培器。
【請求項２】
前記管本体の一方の端部が、蓋の着脱で開閉できるようになっていて、管本体内に収容されている培地材を、前記蓋を外して前記一方の端部を開くことにより、該端部開口を通じて、管本体の外に排出することができるようになされている請求項１に記載の植物栽培器。
【請求項３】
前記管本体の一方の端部に一端が連結され、管本体内をもう一方の端部がわに向けて延ばされた灌水管と、
管本体の前記一方の端部に備えられ、水源からの管を前記灌水管に連通状態となるように接続する継ぎ手と
が備えられている請求項１又は２に記載の植物栽培器。
【請求項４】
請求項１乃至３のいずれか一に記載の植物栽培器を用いた植物栽培システムであって、
前記管本体が、複数本、上下方向に間隔をおいて平行状態となるように設置され、各管本体で植物を栽培することができるようになされていることを特徴とする植物栽培システム。
【請求項５】
前記管本体が、複数本、直列状に配置されて設置され、各管本体で植物を栽培することができるようになされている請求項４に記載の植物栽培システム。
【請求項６】
前記各管本体が、地上からの立ち上がり部にフックで受け掛けされて着脱可能に設置されている請求項４又は５に記載の植物栽培システム。
【請求項７】
前記各管本体の端部が支柱にフックで受け掛けされると共に、
前記水源からの管が、前記支柱に沿って上方に延ばされて、管本体の継ぎ手に着脱可能に接続され、灌水用の水が管本体内の灌水管内に供給されるようになされている請求項４又は５に記載の植物栽培システム。
【発明の詳細な説明】
【技術分野】
【０００１】
本発明は、植物栽培器及びそれを用いた植物栽培システムに関する。
【背景技術】
【０００２】
従来より、種々の植物栽培器が提供されているが、上部が外に開放された箱形のものからなっている植物栽培器では、転倒してしまうと、なかの培地材が全部外に飛び出し、元の状態に修復するのが容易でないという問題があったり、上部全体が開放されているがゆえに剛性が低く、そのためリブ等の多くの補強部が必要で、構造が複雑なものになってしまうという問題があった。
【０００３】
また、例えば、葉菜類や根菜類の栽培において、多くの収穫を得る方法として、栽培面積を地面に沿う水平２次元方向に拡大して栽培することは、従来より行われているが、そのような方法では、植物の栽培に広い土地を必要とし、そのような土地を確保できないと多くの収穫も得ることができないという問題があった。
【先行技術文献】
【特許文献】
【０００４】
【特許文献１】特開２００８−２６３８６９号公報
【発明の概要】
【発明が解決しようとする課題】
【０００５】
本発明は、上記のような問題点に鑑み、転倒しても容易に修復でき、しかも、簡素な構造でありながら高い剛性を発揮することができる植物栽培器を提供することを課題とする。また、本発明は、限られた土地面積のなかで多くの収穫を得ることができる植物栽培システムを提供することを課題とする。
【課題を解決するための手段】
【０００６】
上記の課題は、内部を培地材収容部とし、管軸方向を水平方向に向けて設置される管本体を備え、該管本体の周壁の上面部に、定植用の開口部が複数、管軸方向に間隔をおくようにして設けられていることを特徴とする植物栽培器によって解決される（第１発明）。
【０００７】
この植物栽培器では、内部を培地材収容部とする管本体を備え、該管本体の周壁の上面部に、定植用の開口部が複数、管軸方向に間隔をおくようにして設けられているものであるから、転倒しても、なかの培地材が外に飛び出すのを、定植用開口部間の周壁部が阻止するように働き、それによって、転倒後の修復を容易にすることができる。
【０００８】
しかも、定植用開口部は、管本体の周壁に、複数、管軸方向に間隔をおくようにして設けられているので、定植用開口部間の周壁部が植物栽培器の剛性を高いものにし、それによって、補強のためのリブなどをなくす、ないしは、少なくすることができて、簡素な構造でありながら高い剛性を発揮することのできる植物栽培器を実現することができる。
【０００９】
第１発明において、前記管本体の一方の端部が、蓋の着脱で開閉できるようになっていて、管本体内に収容されている培地材を、前記蓋を外して前記一方の端部を開くことにより、該端部開口を通じて、管本体の外に排出することができるようになされているとよい（第２発明）。
【００１０】
この場合は、定植用開口部が管本体の周壁に管軸方向に間隔をおくようにして設けられていることで、定植用開口部を通じた培地材の排出が必ずしも容易ではなくなっているが、管本体の一方の端部が、蓋の着脱で開閉できるようになっているので、蓋を外して管本体の一方の端部を開けば、開いた端部開口部を下向きにして上下に振る、などの操作をすることにより、なかの培地材を容易に外に出すことができて、培地材の取り扱いを容易にすることができる。もちろん、培地材を管本体内に入れる作業も、端部の蓋を外して開くことにより、容易に行っていくことができる。
【００１１】
第１，第２発明において、前記管本体の一方の端部に一端が連結され、管本体内をもう一方の端部がわに向けて延ばされた灌水管と、
管本体の前記一方の端部に備えられ、水源からの管を前記灌水管に連通状態となるように接続する継ぎ手と
が備えられているとよい（第３発明）。
【００１２】
この場合は、管本体内部への灌水を容易にすることができると共に、継ぎ手を利用して水源からの管を容易に接続することができる。
【００１３】
また、上記の課題は、第１〜第３発明の植物栽培器を用いた植物栽培システムであって、
前記管本体が、複数本、上下方向に間隔をおいて平行状態となるように設置され、各管本体で植物を栽培することができるようになされていることを特徴とする植物栽培システムによって解決される（第４発明）。このシステムでは、第１〜第３発明の植物栽培器を構成している管本体が複数本、上下方向に間隔をおいて平行状態となるように設置されて、植物を栽培するようになされているので、広い土地面積を必要とせず、限られた土地面積のなかで多くの収穫を得ることができる。
【００１４】
第４発明において、前記管本体が、複数本、直列状に配置されて設置され、各管本体で植物を栽培することができるようになされているとよい（第５発明）。この場合は、上下方向に加え、管軸方向においても管本体を配置した構成とすることで、限られた土地面積のなかでより多くの収穫を得ることができる。
【００１５】
第４，第５発明において、各管本体が、地上からの立ち上がり部にフックで受け掛けされて着脱可能に設置されているとよい（第６発明）。この場合は、フックによる受け掛けでありながら、植物栽培器そのものが高い剛性を備えていることにより、しっかりとした保持状態を簡素な構造により実現することができ、しかも、着脱可能であるから、植物栽培器を好みの位置に付け代えることができるし、植物栽培器を増減することもできる。
【００１６】
第４，第５発明において、各管本体の端部が支柱にフックで受け掛けされると共に、
前記水源からの管が、前記支柱に沿って上方に延ばされて、管本体の継ぎ手に着脱可能に接続され、灌水用の水が管本体内の灌水管内に供給されるようになされているとよい（第７発明）。
【００１７】
この場合は、第６発明の作用効果のほか、各管本体の荷重を効率良く支柱に伝えることができてしっかりとした取付け状態を形成することができると共に、水源からの管を、種々の高さ位置に設置されている各植物栽培器に、支柱を利用して容易に導くことができ、かつ、植物栽培器の端部が支柱の位置に位置していることから、水源からの管の接続を、支柱を介して容易にすることができる。
【発明の効果】
【００１８】
本発明の植物栽培器は、以上のとおりのものであるから、転倒しても容易に修復でき、しかも、簡素な構造でありながら高い剛性を発揮することができる。また、本発明の植物栽培システムでは、限られた土地面積のなかで多くの収穫を得ることができる。
【図面の簡単な説明】
【００１９】
【図１】図（イ）は一実施形態に係る植物栽培器の断面正面図、図（ロ）は同端面図、図（ハ）は平面図、図（ニ）は他の実施形態に係る植物栽培器の正面図である。
【図２】図（イ）は、灌水のための接続部を示す一部断面正面図、図（ロ）はフックによる受け掛けのための構成を示す側面図、図（ハ）は同正面図である。
【図３】図（イ）は植物栽培器の全体正面図、図（ロ）は実施形態に係る植物栽培システムの全体正面図である。
【発明を実施するための形態】
【００２０】
次に、本発明の実施形態を図面に基づいて説明する。
【００２１】
図１〜図３に示す実施形態において、１は植物栽培器であり、該植物栽培器１は、図１（イ）〜（ハ）に示すように、内部を、培地材２を収容する収容部３とし、管軸方向を水平方向に向けて設置される管本体４を備えており、該管本体４の周壁の上面部に、定植用の開口部５が、図３（イ）に示すように、複数、管軸方向に間隔をおくようにして設けられている。なお、管本体４は、断面形状が円形、四角形等の各種形状をしていてよいし、金属やプラスチック等各種材料で構成されていてよい。
【００２２】
管本体４の一方の端部の端面部には、図１（イ）〜（ハ）に示すように、灌水管６の一端が連結され、該灌水管は、管本体４内の空間部を、培地材２の上面の高さ位置よりも上方の高さ位置であって、側方に偏心した位置に、もう一方の端部がわに向けて片持ち梁状態で延ばされており、該灌水管６の周壁部に設けられた吐出口６ａ…から吐出される水が内部の培地材２に供給されるようになされている。
【００２３】
なお、培地材２としては、種々のものが用いられてよいが、スポンジ、不織布、ウレタン樹脂等の軽量培地材を用いることにより、植物栽培器１の取付け扱いを容易にすることができる。
【００２４】
また、管本体４の前記一方の端部の端面部には、図２（イ）に示すように、継ぎ手７が備えられ、水源からの管８を該継ぎ手７に着脱可能に接続することができるようになされていて、接続することにより、該管８を灌水管６に連通状態となるように接続することができるようになされている。なお、接続には、ユニオン継ぎ手などが用いられてよい。
【００２５】
更に、図１（イ）〜（ハ）に示す実施形態では、管本体４の一方の端部、本実施形態では、継ぎ手が設けられている端部とは反対がわの端部は、開閉不能に塞がれているが、該端部を、図１（ニ）に示すように、ねじ式等による蓋４ａの着脱で開閉できるようにし、管本体４内に収容されている培地材２を、蓋４ａを外して端部を開くことにより、該端部開口４ｂを通じて、管本体４の外に排出することができるようになされていると、なおよい。
【００２６】
そして、上記の植物栽培器１は、図３（ロ）に示すように、管本体４が、複数本、上下方向に間隔をおいて平行状態となるように設置され、各管本体４…で植物を栽培することができるようになされていると共に、各管本体４が、複数本、直列状にも配置されて設置され、各管本体４…で植物を栽培することができるようになされている。
【００２７】
それを具体的に実現するため、本実施形態では、各管本体４は、図２（ロ）（ハ）、及び、図３（ロ）に示すように、その各端部が、地上からの立ち上がり部としてのフェンスの支柱９に、フック１０で受け掛けされて着脱可能に設置されている。なお、フック１０は跳上げ式のものからなっていて、使用しないフックは、邪魔にならぬよう退避状態にしておくことができるようになされている。
【００２８】
また、水源からの管８は、支柱９に沿って上方に延ばされて、管本体４の継ぎ手７に着脱可能に接続され、灌水用の水が管本体４内の灌水管６内に供給されて、管本体４内において灌水を行うことができるようになされている。
【００２９】
上記の植物栽培器１では、内部を培地材収容部３とする管本体４を備え、該管本体４の周壁の上面部に、定植用開口部５が複数、管軸方向に間隔をおくようにして設けられているものであるから、転倒しても、なかの培地材２が外に飛び出すのを、定植用開口部５…間の周壁部４ｃが阻止するように働き、それによって、転倒後の修復を容易にすることができる。
【００３０】
しかも、定植用開口部５は、管本体４の周壁に、複数、管軸方向に間隔をおくようにして設けられているので、定植用開口部５…間の周壁部４ｃが、管本体４の剛性、即ち、植物栽培器１の剛性を高いものにし、それによって、補強のためのリブなどをなくす、ないしは、少なくすることができて、簡素な構造でありながら高い剛性を発揮することのできる植物栽培器１を実現することができる。
【００３１】
また、定植用開口部５…が管本体４の周壁に管軸方向に間隔をおくようにして設けられていることで、定植用開口部５…を通じた培地材２の排出が必ずしも容易ではなくなっているが、図１（ニ）に示す実施形態のように、管本体４の一方の端部を、蓋４ａの着脱で開閉できるようにする構成とすることにより、蓋４ａを外して管本体４の一方の端部を開けば、開いた端部開口部４ｂを下向きにして上下に振る、などの操作をすることにより、なかの培地材２を容易に外に出すことができて、培地材２の取り扱いを容易にすることができる。
【００３２】
更に、管本体４には、灌水管６と、水源からの管８を灌水管６に連通状態となるように接続する継ぎ手７とが備えられているので、管本体４の内部への灌水を容易にすることができると共に、継ぎ手７を利用して水源からの管８を容易に接続することができる。灌水では、肥料溶液の供給も行われせるようにしておくとよい。
【００３３】
そして、上記の植物栽培システムは、上記の管本体４が、複数本、上下方向に間隔をおいて平行状態となるように設置されると共に、複数本、直列状に配置されて設置されて構成されているので、広い土地面積を必要とせずに、限られた土地面積のなかで多くの収穫を得ることができる。
【００３４】
また、植物栽培システム内における各管本体４の取付け関係についても、フック１０による受け掛けでありながら、各管本体４、即ち、植物栽培器１そのものが高い剛性を備えていることにより、しっかりとした保持状態を簡素な構造により実現することができ、しかも、着脱可能であるから、システムのなかで、植物栽培器１を好みの位置に付け代えたり、増減したりすることもできる。
【００３５】
特に、各管本体４…は、その端部が支柱９にフック１０で受け掛けされると共に、水源からの管８が、支柱９に沿って上方に延ばされて、管本体４の継ぎ手７に着脱可能に接続され、灌水用の水が管本体４内の灌水管６内に供給されるようになされているから、各管本体４…の荷重を効率良く支柱９に伝えることができてしっかりとした取付け状態を形成することができると共に、水源からの管８を、種々の高さ位置に設置されている各植物栽培器１に、支柱９を利用して容易に導くことができ、かつ、植物栽培器１の端部が支柱９の位置に位置していることから、水源からの管８の接続を、支柱９を介して容易にすることができる。
【００３６】
なお、管本体４内での蓄熱を防ぐため、該管本体４に遮熱塗料を塗布したり、灌水用の水や肥料溶液を常時流すようにするのもよい。
【符号の説明】
【００３７】
１…植物栽培器
２…培地材
３…培地材収容部
４…管本体
４ａ…蓋
４ｂ…端部開口部
４ｃ…周壁部
５…定植用開口部
６…灌水管
７…継ぎ手
８…水源からの管
９…支  柱（立ち上がり部）
１０…フック
【図１】
2012029573.tif 000003
【図２】
2012029573.tif 000004
【図３】
2012029573.tif 000005